(57)【要約】【課題】プリント基板上の電流分布の変化が低減され、通話時におけるアンテナ利得を向上する。【解決手段】アンテナ１が、通話時にユーザに向き合う当該無線通信端末の面に対向する面側に設けられる。給電部５がアンテナ１に電力を給電する。プリント基板２が、給電部５が設けられ、無線通信端末に内蔵されている。そして、給電部５が配置されているプリント基板２の部分はアンテナ１が設けられる面近傍に配置されている。【選択図】　　図２
2004112039.tif 000002
【特許請求の範囲】
【請求項１】
通話時にユーザに向き合う当該無線通信端末の面に対向する面側に設けられるアンテナと、
前記アンテナに電力を給電する給電部と、
前記給電部が設けられ、当該無線通信端末に内蔵されているプリント基板と、
を具備し、
前記給電部が配置されているプリント基板の部分は前記アンテナが設けられる面近傍に配置されていることを特徴とする無線通信端末。
【請求項２】
前記プリント基板は、前記給電部が設けられている端部分が前記アンテナが設けられている面の近傍に配置され、その他端部分が前記通話時にユーザに向き合う面の近傍に配置されていることを特徴とする請求項１に記載の無線通信端末。
【請求項３】
前記プリント基板は、前記給電部が設けられている部分と、そのほかの部分との少なくとも２つに分離されていて、前記給電部が設けられている部分は前記アンテナが設けられている面の近傍に配置されていることを特徴とする請求項１に記載の無線通信端末。
【請求項４】
前記給電部が設けられている部分と、そのほかのプリント基板との部分はフレキシブルケーブルによって接続されていることを特徴とする請求項１に記載の無線通信端末。
【発明の詳細な説明】
【０００１】
【発明の属する技術分野】
プリント基板上に無線通信回路が設けられて、この無線通信回路はアンテナ給電部を介してアンテナに接続されて無線通信を実現している無線通信端末に関し、特に、アンテナ給電部がユーザから離れてアンテナに接近して配置されている無線通信端末に関する。
【０００２】
【従来の技術】
図１は、従来の無線通信端末に内蔵されているプリント基板の配置を示す側面断面図である。
従来、図１に示されるようにプリント基板２は筺体を構成する面のうち操作者側に向く第１の面あるいはその外側でこれに対向する第２の面に対しほぼ平行に配置されている。
【０００３】
アンテナ１は、アンテナ給電部５を介してプリント基板上の回路と電気的に接続している。
【０００４】
また、無線通信端末が電波を送信または受信する方向を示す指向性は、アンテナ１のみでなくプリント基板２も、無線通信端末の近傍および遠方の電磁場の形成に寄与していることが知られている（たとえば、特許文献１参照）。
【０００５】
【特許文献１】
特開２００１−１５９６７２号公報
【０００６】
【発明が解決しようとする課題】
しかしながら、上記した従来技術においては、プリント基板、特にアンテナ給電部の付近が操作者側に近接する構成をしているため、通話時におけるアンテナ利得が劣化するという問題がある。
【０００７】
そこで本発明は、上記の問題を解決するためになされたものであり、プリント基板上の電流分布の変化が低減され、通話時におけるアンテナ利得を向上することができる移動通信端末を提供することを目的とする。
【０００８】
【課題を解決するための手段】
本発明の無線通信端末は、
通話時にユーザに向き合う当該無線通信端末の面に対向する面側に設けられるアンテナと、
前記アンテナに電力を給電する給電部と、
前記給電部が設けられ、当該無線通信端末に内蔵されているプリント基板と、
を具備し、
前記給電部が配置されているプリント基板の部分は前記アンテナが設けられる面近傍に配置されていることを特徴とする。
【０００９】
以上の構成によれば、給電部は、無線通信端末を使用しているユーザから遠ざけることになる。給電部は無線通信端末の近傍の電磁場に強く影響を与えるので、上記のように給電部をユーザから遠ざけることにより、ユーザの存在による電磁場への影響が軽減される。その結果、通話時のアンテナ利得を向上することが可能になる。
【００１０】
【発明の実施の形態】
以下、図面を参照しながら本発明の実施形態に係る無線通信端末について説明する。
【００１１】
図２は、本発明の第１の実施形態に係る無線通信端末に内蔵されているプリント基板の配置を示す斜視図である。図３は、図２に示されている無線通信端末の側面断面図である。
本実施形態に係る無線通信端末は、プリント基板２を端末筐体３の内部に配置する。プリント基板２の上端面は端末筐体３を構成する上面とアンテナ１が設置されている第２の面との境界線に接近して配置され、プリント基板２の下端面は端末筐体３を構成する下面とＬＣＤ４が配置されている第１の面との境界線に接近して配置されている。
ここで、第１の面は無線通信端末のユーザ側に向き合う面である。本実施形態では、ＬＣＤ４が第１の面上に配置されているが、ＬＣＤ４は別の面上に配置されてもよいし、さらにＬＣＤ４は設置されなくてもよい。第２の面は第１の面に対向している面であり、アンテナ１が設置されている面である。
【００１２】
すなわち、プリント基板２の上端面の延長上は第２の面の延長上と交わり、プリント基板２の下端面の延長上は第１の面の延長上と交わる。このように、プリント基板２は、端末筐体３の中に斜めに配置されている。
【００１３】
また、プリント基板２の上端面に接近してアンテナ給電部５がプリント基板２の上に設けられる。アンテナ給電部５は、アンテナ１とプリント基板２とを接続している。アンテナ給電部５は、プリント基板２に配設されている無線通信回路から電力を受け取り、アンテナ１に電力を供給する。アンテナ給電部５は、ＲＦ（ｒａｄｉｏ　ｆｒｅｑｕｅｎｃｙ：無線周波数）回路に含まれている。
【００１４】
上述したようにプリント基板２を配置すると、ＲＦ回路に含まれるアンテナ給電部５は、無線通信端末を使用しているユーザから遠ざけることになる。アンテナ給電部５は無線通信端末の近傍の電磁場に強く影響を与えるので、上記のようにアンテナ給電部５をユーザから遠ざけることにより、ユーザの存在による電磁場への影響が軽減される。その結果、上記のプリント基板２の配置は、通話時のアンテナ利得を向上することが可能になる。
【００１５】
また、プリント基板２は、端末筐体３の中で斜めに配置されているので、従来の筺体を構成する第１の面および第２の面に平行にプリント基板を配置する場合に比較して、プリント基板を長く設定することが可能になり、プリント基板上に回路等を実装するための実装面積が増えるという効果もある。
【００１６】
さらに、従来の構成に比較して、アンテナ１とプリント基板２との間の距離を短縮することができる。したがって、プリント基板２の上に設けられているアンテナ給電部５とアンテナ１との距離を短縮することができる。
【００１７】
その結果、アンテナ１とアンテナ給電部５とを接続する接続コネクタも短くすることができるので、接続コネクタでの電力損失を低減することが可能になる。したがって、本実施形態の無線通信端末によれば、アンテナ１の効率を向上することが可能になる。
【００１８】
図４は、本発明の第２の実施形態に係る無線通信端末に内蔵されているプリント基板の配置を示す斜視図である。図５は、図４に示されている無線通信端末の上面断面図である。
本実施形態では、プリント基板２の側端面（ここでは、４側面のうちの面積の小さい２面を側端面と呼ぶ）の一方が、アンテナ１が設置されている第２の面のアンテナ１が設置されている位置に接近して配置されている。さらに、プリント基板２のもう一方の側端面が、第２の面のアンテナ１が設置されている位置と端末筐体３の中心に関し対称な位置に接近して配置されている。
【００１９】
図５の上面断面図を参照すると、無線通信端末を上から見た場合、筺体を構成する面のうち操作者側に向き合う側の面である第１の面およびそれに対向する第２の面に対して、プリント基板２は、斜めに配置される。さらに、プリント基板２の上に配置されるアンテナ給電部５はアンテナ１に接近して配置することができる。
【００２０】
したがって、操作者から離れる側端面の付近にアンテナ給電部５が配置されることが可能になる。このように構成することによっても、第１の実施形態と同様に、通話時のアンテナ利得を向上することが可能になる。
さらに本実施形態では、プリント基板２が建物内の梁のような建物の構造を補強する役割も担い、筐体の長手方向が曲げに対する応力に対して従来に比較して大きな応力でも壊れにくいという効果もある。
【００２１】
図６は、本発明の第３の実施形態に係る無線通信端末に内蔵されているプリント基板の配置を示す側面断面図である。
本実施形態では、図６に示されるようにプリント基板２をプリント基板２−１とプリント基板２−２との２つに分離し、アンテナ１に接近して設置されるプリント基板２−１の上にアンテナ給電部５を設ける。
【００２２】
プリント基板２−１の上端面は端末筐体３を構成する上面とアンテナ１が設置されている第２の面との境界線に接近して配置される。プリント基板２−１の下端面は第１の面に接近して配置されている。プリント基板２−２は側面を第１の面に平行にして配置されている。
また、プリント基板２−１にはアンテナ給電部５を含むＲＦ回路が設置される。このＲＦ回路は無線通信端末を使用中のユーザから従来に比較して離れて配置されているので、第１の実施形態の効果と同様に通話時のアンテナ利得向上が実現される。
【００２３】
さらに、プリント基板が２つに分離されているので、端末筐体３内でプリント基板２−１およびプリント基板２−２は、プリント基板が分離されていない場合に比較して、自由に配置することが可能になる。その結果、端末筐体３内の配置される回路等の部品を密に配置することが可能になる。したがって、第１の実施形態に比較して、無線通信端末の筐体の体積を小さくすることができる。たとえば、無線通信端末を薄くすることが可能になる。
【００２４】
図７は、本発明の第４の実施形態に係る無線通信端末に内蔵されているプリント基板の配置を示す側面断面図である。
本実施形態は、第３の実施形態に係る無線通信端末の変形例である。異なる点は、アンテナ給電部５が設置されているプリント基板２−１は第２の面に平行かつ接近して配置され、アンテナ給電部５が設置されていないプリント基板２−２は第１の面に平行かつ接近して配置されていることである。
【００２５】
これによって、プリント基板２−１はユーザから離れて配置されるので、アンテナ給電部５以外の無線通信端末の近傍の電磁場に強く影響を与える回路をプリント基板２−１に配置することにより、ユーザの存在による電磁場への影響が軽減される。その結果、上記のプリント基板２の配置は、通話時のアンテナ利得を向上することが可能になる。
さらに、本実施形態によれば、従来に比較して、基板と筺体表面との間の距離を広く取ることが可能になる。したがって、ＬＣＤ４、バッテリーが効率よく配置できる。その結果、さらなる端末の薄型化を実現することが可能になる。たとえば、従来、ＬＣＤ４はその厚みのために筺体の第１の面より盛り上がることもあったが、本実施形態によれば筐体を盛り上げる必要が無く、すっきりとした外観になる。したがって、無線通信端末の薄型化が実現される。
そのほかは、第３の実施形態と同様である。
【００２６】
図８は、本発明の第５の実施形態に係る無線通信端末に内蔵されているプリント基板の配置を示す側面断面図である。
本実施形態は、第４の実施形態におけるフレキシブルケーブル６を基板間コネクタ７に代えてプリント基板間を電気的に接続した場合である。このように構成することにより、通話時のアンテナ利得の向上が実現される。
そのほかは、第４の実施形態と同様である。
【００２７】
図９は、本発明の第６の実施形態に係る無線通信端末に内蔵されているプリント基板の配置を示す側面断面図である。
本実施形態は、第１の実施形態における引き出し式のアンテナを内蔵化した場合に対応する。この構成により、第１の実施形態と同様な効果がある。すなわち、アンテナ１とプリント基板２との間の距離を短縮することができる。したがって、プリント基板２の上に設けられているアンテナ給電部５とアンテナ１との距離を短縮することができる。その結果、アンテナ１とアンテナ給電部５とを接続する接続コネクタも短くすることができるので、接続コネクタでの電力損失を低減することが可能になる。したがって、本実施形態の無線通信端末によれば、アンテナ１の効率を向上することが可能になる。
そのほかも、第１の実施形態と同様である。
【００２８】
図１０（Ａ）は、本発明の第７の実施形態に係る無線通信端末に内蔵されているプリント基板の配置を示す側面断面図である。図１０（Ｂ）は、図１０（Ａ）に示されている無線通信端末の正面断面図である。
本実施形態は、第４の実施形態の変形例である。異なる点は、プリント基板２−１に代わり、プリント基板２−３を配置し、プリント基板２−３に実装される回路をアンテナ給電部５を含むＲＦ回路の一部にしてプリント基板２−３を小さくしていることである。さらに、プリント基板２−２に代わって、プリント基板２−４を配置し、プリント基板２−３を小さくした分、プリント基板２−４の実装面積を大きくする。
【００２９】
このような構成により、実装面積の広いプリント基板２−４に実装するにより、ユーザの存在による電磁場への影響を与えない回路を数多く実装することが可能になる。
そのほかは、第４の実施形態と同様である。
【００３０】
なお、上記ではストレート式の無線通信端末における例が示されたが、これらの実施形態は折りたたみ式の端末においても上記の実施形態に示したようにプリント基板等を配置することにより、上述したストレート式の端末と同様の効果を得ることが可能である。
【００３１】
上述した本発明による筺体を構成する面に対して傾斜してプリント基板を配置する構成は、ＰＤＡやポータブルＰＣ等のだけでなく、通信回路を備えるプリント基板を有する全ての電気製品に適用することができる。
【００３２】
この発明は、上述した実施の形態に限定されるものではなく、その技術的範囲において種々変形して実施することができる。
【００３３】
【発明の効果】
本発明の無線通信端末によれば、アンテナ給電部を有するプリント基板の部分をユーザから話すことにより、通話する時のアンテナ利得の向上を実現することができる。
【００３４】
また、アンテナとプリント基板との距離が短くなるので、アンテナとプリント基板との間の接続コネクタを短くすることができ、接続コネクタでの電力損失を低減することができる。
【００３５】
さらに、プリント基板を大きくすることができるので、実装面積を増やすことができる。
【図面の簡単な説明】
【図１】従来の無線通信端末に内蔵されているプリント基板の配置を示す側面断面図。
【図２】本発明の第１の実施形態に係る無線通信端末に内蔵されているプリント基板の配置を示す斜視図。
【図３】図２に示されている無線通信端末の側面断面図。
【図４】本発明の第２の実施形態に係る無線通信端末に内蔵されているプリント基板の配置を示す斜視図。
【図５】図４に示されている無線通信端末の上面断面図。
【図６】本発明の第３の実施形態に係る無線通信端末に内蔵されているプリント基板の配置を示す側面断面図。
【図７】本発明の第４の実施形態に係る無線通信端末に内蔵されているプリント基板の配置を示す側面断面図。
【図８】本発明の第５の実施形態に係る無線通信端末に内蔵されているプリント基板の配置を示す側面断面図。
【図９】本発明の第６の実施形態に係る無線通信端末に内蔵されているプリント基板の配置を示す側面断面図。
【図１０】（Ａ）　本発明の第７の実施形態に係る無線通信端末に内蔵されているプリント基板の配置を示す側面断面図。
（Ｂ）　図１０（Ａ）に示されている無線通信端末の正面断面図。
【符号の説明】
１　　　アンテナ
１−１　内蔵アンテナ
２　　　プリント基板
２−１　プリント基板
２−２　プリント基板
２−３　プリント基板
２−４　プリント基板
３　　　端末筐体
４　　　ＬＣＤ
５　　　アンテナ給電部
６　　　フレキシブルケーブル
７　　　基板間コネクタ
【図１】
2004112039.tif 000003
【図２】
2004112039.tif 000004
【図３】
2004112039.tif 000005
【図４】
2004112039.tif 000006
【図５】
2004112039.tif 000007
【図６】
2004112039.tif 000008
【図７】
2004112039.tif 000009
【図８】
2004112039.tif 000010
【図９】
2004112039.tif 000011
【図１０】
2004112039.tif 000012